(57)【要約】【課題】視聴制限機能を有さないコンテンツに対しても容易に視聴制限を行うことができるコンテンツ再生装置を提供する。【解決手段】再生対象のコンテンツのファイル名を読み取るファイル名読み取り部１３と、ファイル名読み取り部１３により読み取られたファイル名に視聴制限用の文字列が含まれる場合に、コンテンツの視聴制限を行う視聴制限処理部１０とを備える。【選択図】図２
2015207976.tif 000002
【特許請求の範囲】
【請求項１】
コンテンツを再生するコンテンツ再生装置であって、
再生対象のコンテンツのファイル名を読み取るファイル名読み取り部と、
前記ファイル名読み取り部により読み取られた前記ファイル名に視聴制限用の文字列が含まれる場合に、前記コンテンツの視聴制限を行う視聴制限処理部とを備えるコンテンツ再生装置。
【請求項２】
前記視聴制限処理部は、前記ファイル名読み取り部により読み取られた前記ファイル名に含まれる前記視聴制限用の文字列と、制限レベルごとに設定された視聴制限用の文字列とを比較し、前記ファイル名に含まれる前記視聴制限用の文字列に対応した制限レベルの内容で前記コンテンツの視聴制限を行うことを特徴とする請求項１記載のコンテンツ再生装置。
【請求項３】
コンテンツのファイル名を表示するためのファイル名リストを作成するリスト作成部と、
前記視聴制限用の文字列を含むファイル名の前記ファイル名リストにおけるファイル名を修正するファイル名修正部とを備えることを特徴とする請求項１記載のコンテンツ再生装置。
【請求項４】
前記ファイル名修正部は、前記ファイル名リストにおけるファイル名を前記視聴制限用の文字列を除いたファイル名に修正することを特徴とする請求項３記載のコンテンツ再生装置。
【請求項５】
表示部の表示を制御する表示制御部を備え、
前記視聴制限処理部は、前記表示制御部に指示して、前記視聴制限用の文字列を除いたファイル名を、前記ファイル名リストにおける視聴制限用の文字列を含まないファイル名とは異なる表示形態に変更することを特徴とする請求項４記載のコンテンツ再生装置。
【請求項６】
前記ファイル名修正部は、前記視聴制限用の文字列を含むファイル名を前記ファイル名リストから削除することを特徴とする請求項３記載のコンテンツ再生装置。
【請求項７】
前記ファイル名修正部により前記ファイル名リストから削除されたファイル名のコンテンツを再生対象外とすることを特徴とする請求項６記載のコンテンツ再生装置。
【発明の詳細な説明】
【技術分野】
【０００１】
この発明は、コンテンツの視聴対象者を制限する視聴制限機能を有したコンテンツ再生装置に関する。
【背景技術】
【０００２】
例えば、特許文献１には、エンターテイメントコンテンツへのアクセスの保護者による制限を可能とする従来の技術が開示されている。特許文献１に代表される従来の技術は、対象者の年齢に応じた制限レベルを設定することができ、制限レベルを超える場合、このコンテンツの視聴が制限される。
【先行技術文献】
【特許文献】
【０００３】
【特許文献１】特開２００５−１１５９２８号公報
【発明の概要】
【発明が解決しようとする課題】
【０００４】
特許文献１に代表される従来の技術では、コンテンツがコンテンツ再生装置と連動して視聴制限を行う機能を有していない場合、視聴制限を設定することができない。例えば、従来の視聴制限が可能なコンテンツには、コンテンツ再生装置と連動して視聴制限を行う機能を実現するためのプログラムが組み込まれており、このコンテンツをコンテンツ再生装置で再生しようとした場合、視聴制限の解除キーの入力が求められ、解除キーを正しく入力しなければ再生できない。これに対して、従来では、ユーザに作成されて上記機能を有さないコンテンツには視聴制限を設定することができないという課題があった。
【０００５】
この発明は、上記のような課題を解決するためになされたもので、視聴制限機能を有さないコンテンツに対しても容易に視聴制限を行うことができるコンテンツ再生装置を得ることを目的とする。
【課題を解決するための手段】
【０００６】
この発明に係るコンテンツ再生装置は、コンテンツを再生するコンテンツ再生装置であって、再生対象のコンテンツのファイル名を読み取るファイル名読み取り部と、ファイル名読み取り部により読み取られたファイル名に視聴制限用の文字列が含まれる場合に、コンテンツの視聴制限を行う視聴制限処理部とを備える。
【発明の効果】
【０００７】
この発明によれば、視聴制限機能を有さないコンテンツに対しても容易に視聴制限を行うことができるという効果がある。
【図面の簡単な説明】
【０００８】
【図１】この発明のコンテンツ再生システムの構成を示すブロック図である。
【図２】この発明の実施の形態１に係るコンテンツ再生装置の構成を示すブロック図である。
【図３】実施の形態１における視聴制限設定処理を示すフローチャートである。
【図４】実施の形態１に係るコンテンツ再生装置における視聴制限処理を示すフローチャートである。
【図５】実施の形態１に係るコンテンツ再生装置におけるコンテンツのファイル名リストの生成処理を示すフローチャートである。
【図６】実施の形態１に係るコンテンツ再生装置におけるファイル名リストの表示処理を示すフローチャートである。
【発明を実施するための形態】
【０００９】
実施の形態１．
図１は、この発明のコンテンツ再生システムの構成を示すブロック図である。図２は、この発明の実施の形態１に係るコンテンツ再生装置の構成を示すブロック図である。
図１に示すコンテンツ再生システムは、メディアプレーヤ１、表示部２および操作部３を備えて構成される。
【００１０】
メディアプレーヤ１は、実施の形態１に係るコンテンツ再生装置として機能する装置であり、記録メディアに記録されたコンテンツを再生する。表示部２はメディアプレーヤ１からの映像出力を表示する。操作部３はメディアプレーヤ１への操作を受け付ける。例えば、メディアプレーヤ１に備えられたタッチパネルやハードウェアキーボタンである。
【００１１】
また、メディアプレーヤ１は、図２に示すように、その機能構成として、視聴制限処理部１０、コンテンツ再生制御部１１、入力信号処理部１２、ファイル名読み取り部１３、ファイル名修正部１４、ファイル名リスト作成部１５、メモリ１６および表示制御部１７を備える。
【００１２】
視聴制限処理部１０は、メディアプレーヤ１におけるコンテンツ視聴制限に関する処理を行う。なお、本発明において、コンテンツの視聴制限は、ファイル名読み取り部１３により読み取られたファイル名に視聴制限用の文字列が含まれる場合に行われる。
視聴制限用の文字列は視聴制限の内容ごとに予め定められた文字列であって、例えば、“Ｒ１８”や“Ｒ１５”などの文字列が挙げられる。また、コンテンツ自体の再生停止を指示する文字列や、ジャンルやキーワードなどによってコンテンツの部分的な再生不可を指示する文字列を設定してもよい。
【００１３】
コンテンツ再生制御部１１は記録メディアに記録されたコンテンツの再生を制御する。例えば、記録メディアがＣＤやＤＶＤである場合は、このようなディスクを再生するメカ機構の制御を行う。また、コンテンツがＵＳＢメモリに記録されている場合には、ＵＳＢメモリから読み出されたコンテンツのデコード処理を制御する。
入力信号処理部１２は、操作部３が受け付けた入力信号の中から、視聴制限処理に使用される情報を抽出して視聴制限処理部１０へ出力する。
【００１４】
ファイル名読み取り部１３は再生対象のコンテンツのファイル名を読み取る。例えば、コンテンツのファイル名の文字列をテキストデータとして読み取って視聴制限処理部１０に出力する。視聴制限処理部１０は、ファイル名読み取り部１３から入力したファイル名をテキスト解析することにより、視聴制限用の文字列が含まれるかどうかを判定する。
【００１５】
ファイル名修正部１４は、視聴制限用の文字列を含むファイル名のファイル名リストにおけるファイル名を修正する。例えば、ファイル名リストにおけるファイル名を視聴制限用の文字列を除いたファイル名に修正する。また、視聴制限用の文字列を含むファイル名をファイル名リストから削除する。これにより視聴制限用の文字列を含むファイル名を、視聴制限が設定されていないコンテンツのファイル名と同様にリスト表示することが可能である。反対にリストから削除することで、視聴制限によって再生対象から外れている旨を示してもよい。
【００１６】
ファイル名リスト作成部１５は、コンテンツのファイル名を表示するためのファイル名リストを作成するリスト作成部である。ファイル名リストには、コンテンツ再生制御部１１が再生可能なコンテンツのファイル名がリストアップされる。ユーザは、表示部２に表示されたファイル名リストを参照することにより、メディアプレーヤ１でどのコンテンツが再生可能であるのかを容易に把握することができる。
【００１７】
メモリ１６は、制限レベルごとの視聴制限内容とこれに対応する視聴制限用の文字列とをそれぞれ記憶している。例えば、メディアプレーヤ１に搭載されたフラッシュメモリ、ハードディスクドライブ（ＨＤＤ）装置、ＵＳＢメモリなどに構築される。
視聴制限処理部１０は、コンテンツのファイル名に含まれていた視聴制限用の文字列に基づいてメモリ１６の内容を検索することで、視聴制限用の文字列に対応する視聴制限の内容を特定することができる。
【００１８】
表示制御部１７は、表示部２の表示を制御する。例えば、コンテンツに視聴制限設定がない場合、表示制御部１７は、コンテンツ再生制御部１１の制御によって再生されたコンテンツの映像出力を表示部２に表示する。また、コンテンツに視聴制限設定がある場合、コンテンツ再生制御部１１は、視聴制限処理部１０から視聴制限設定に応じた指示を受けてコンテンツ再生を制御する。視聴制限により当該コンテンツの再生不可となった場合、コンテンツ再生制御部１１はコンテンツの再生を停止する。このとき、表示制御部１７は、例えば視聴制限により再生不可である旨を表示部２に表示してもよい。
【００１９】
なお、視聴制限処理部１０、コンテンツ再生制御部１１、入力信号処理部１２、ファイル名読み取り部１３、ファイル名修正部１４、ファイル名リスト作成部１５および表示制御部１７は、例えば、この実施の形態１に特有な処理が記述されたプログラムをマイクロコンピュータが実行することにより、ハードウェアとソフトウェアとが協働した具体的な手段として実現することができる。
【００２０】
次に動作について説明する。
図３は、実施の形態１における視聴制限設定処理を示すフローチャートであって、視聴制限用文字列をメディアプレーヤ１に初期設定する処理を示している。
まず、ユーザの視聴制限設定要求が操作部３に受け付けられると、入力信号処理部１２は、この視聴制限設定要求を視聴制限処理部１０に通知する。
視聴制限処理部１０は、この通知を受けると、メディアプレーヤ１で再生可能なコンテンツに視聴制限設定があるか否かを判定する（ステップＳＴ１）。ここで、メディアプレーヤ１で再生可能なコンテンツとは、コンテンツ再生制御部１１が再生可能な各種メディアに記録されたコンテンツである。また視聴制限設定とは、ユーザがコンテンツのファイル名に記述した視聴制限用の文字列である。従って、ステップＳＴ１では、視聴制限処理部１０が、ファイル名読み取り部１３に指示してコンテンツのファイル名を読み取らせ、ファイル名読み取り部１３が読み取ったファイル名をテキスト解析して視聴制限用文字列が含まれるかどうかを判定する。
【００２１】
コンテンツに視聴制限設定がある、すなわちファイル名に視聴制限用文字列がある場合（ステップＳＴ１；ＹＥＳ）、この視聴制限用文字列に対応する視聴制限内容がメディアプレーヤ１に既に設定されているものとして処理を終了する。
コンテンツに視聴制限設定がない、すなわちファイル名に視聴制限用文字列が含まれていない場合（ステップＳＴ１；ＮＯ）、視聴制限処理部１０は、表示制御部１７に指示して表示部２に視聴制限用文字列を入力するための入力用画面を表示させる。
【００２２】
ユーザ（コンテンツ作成者）は、表示部２の入力用画面を参照して、操作部３を用いて自身が設定したい視聴制限内容に対応した視聴制限用文字列を入力する（ステップＳＴ２）。入力信号処理部１２は、操作部３が受け付けた入力信号の中から視聴制限対象者の生年月日を抽出して視聴制限処理部１０に出力する。
視聴制限処理部１０は、入力信号処理部１２を介して入力した視聴制限用文字列をメモリ１６に保存する（ステップＳＴ３）。これにより視聴制限用文字列の初期設定が完了する。このようにすることで、例えばユーザがビデオカメラなどで撮影したホームビデオのように、メディアプレーヤ１と連動して視聴制限を行う機能を実現するためのプログラムが組み込まれていないコンテンツであっても、ユーザが所望する視聴制限を容易に設定することができる。
【００２３】
図４は、実施の形態１に係るコンテンツ再生装置における視聴制限処理を示すフローチャートである。
まず、ファイル名読み取り部１３が、再生対象のコンテンツのファイル名を読み取って（ステップＳＴ１ａ）、視聴制限処理部１０へ出力する。
視聴制限処理部１０は、ファイル名読み取り部１３が読み取ったファイル名をテキスト解析して、視聴制限設定があるかどうか、すなわち視聴制限用文字列が含まれるかどうかを判定する（ステップＳＴ２ａ）。ここで、再生対象のコンテンツに視聴制限設定がなければ（ステップＳＴ２ａ；ＮＯ）、ステップＳＴ７ａの処理に移行する。
【００２４】
視聴制限設定がある、すなわちファイル名に視聴制限用文字列が含まれる場合（ステップＳＴ２ａ；ＹＥＳ）、視聴制限処理部１０は、ファイル名から視聴制限用文字列を読み出し（ステップＳＴ３ａ）、メモリ１６に視聴制限内容に対応付けて保存されている視聴制限用文字列の中から、上記ファイル名から読み出した視聴制限用文字列があるかどうかを確認する（ステップＳＴ４ａ）。
このように、視聴制限処理部１０は、ファイル名読み取り部１３によって読み取られたファイル名に含まれる視聴制限用の文字列と、メモリ１６に制限レベルごとに保存された視聴制限用の文字列とを比較して、ファイル名に含まれる視聴制限用の文字列に対応した制限レベルの内容でコンテンツの視聴制限を行う。
【００２５】
メモリ１６に対応する文字列が保存されていなければ（ステップＳＴ４ａ；ＮＯ）、ステップＳＴ７ａの処理に移行する。
一方、メモリ１６に対応する視聴制限用文字列がある場合（ステップＳＴ４ａ；ＹＥＳ）、視聴制限処理部１０は、メモリ１６から上記視聴制限用文字列に対応する視聴制限の内容を読み出し、再生対象のコンテンツが視聴可能か否かを判定する（ステップＳＴ５ａ）。視聴制限の内容から再生対象のコンテンツが視聴可である場合（ステップＳＴ５ａ；ＹＥＳ）、ステップＳＴ７ａの処理に移行する。
【００２６】
視聴制限の内容から再生対象のコンテンツが視聴不可である場合（ステップＳＴ５ａ；ＮＯ）、視聴制限処理部１０は、表示制御部１７に指示して表示部２に視聴制限解除キーの入力を促す入力用画面を表示させる。なお、視聴制限解除キーは、視聴制限用の文字列に対応する視聴制限の内容に含めて予め設定しておく。
【００２７】
再生対象のコンテンツのファイル名に視聴制限用の文字列が含まれていない、または、ファイル名に含まれる視聴制限用文字列がメモリ１６に保存されていない、または、視聴制限用の文字列に対応する視聴制限の内容からコンテンツが視聴可である場合、もしくは視聴制限解除キーが入力されて照合された場合（ステップＳＴ６ａ；ＹＥＳ）、視聴制限処理部１０は、コンテンツ再生制御部１１に指示して上記コンテンツの再生を開始させる（ステップＳＴ７ａ）。
【００２８】
視聴制限解除キーが入力されなければ（ステップＳＴ６ａ；ＮＯ）、視聴制限処理部１０は、コンテンツ再生制御部１１に指示してコンテンツの再生を停止させる。さらに、視聴制限処理部１０は、表示制御部１７に指示して視聴制限により再生エラーとなったことを表示部２に表示させる（ステップＳＴ８ａ）。
【００２９】
図５は、実施の形態１に係るコンテンツ再生装置におけるコンテンツのファイル名リストの生成処理を示すフローチャートである。
まず、ユーザからのリスト生成要求が操作部３に受け付けられると、入力信号処理部１２は、このリスト生成要求を視聴制限処理部１０に通知する。
視聴制限処理部１０は、この通知を受けると、ファイル名読み取り部１３にファイル名の読み取りを指示する。ファイル名読み取り部１３は、視聴制限処理部１０からの指示に従って、メディアプレーヤ１で再生可能なコンテンツのファイル名を読み取る。
【００３０】
次に、視聴制限処理部１０は、ファイル名読み取り部１３により読み取られたファイル名から視聴制限用の文字列を読み出す（ステップＳＴ２ｂ）。ここで、視聴制限用文字列がファイル名に含まれていない場合（ステップＳＴ３ｂ；ＮＯ）、ステップＳＴ６ｂの処理に移行する。
【００３１】
ファイル名に視聴制限用文字列が含まれている場合（ステップＳＴ３ｂ；ＹＥＳ）、視聴制限処理部１０は、このファイル名のコンテンツに視聴制限フラグを設定する（ステップＳＴ４ｂ）。この後、視聴制限処理部１０は、視聴制限フラグを設定したコンテンツのファイル名のテキストデータをファイル名修正部１４へ出力する。
【００３２】
ファイル名修正部１４は、視聴制限処理部１０から入力したファイル名を修正する（ステップＳＴ５ｂ）。例えば、当初のファイル名から視聴制限用の文字列を除いた表示用のファイル名に修正する。このようにすることで、視聴制限されたコンテンツのファイル名を、視聴制限のないコンテンツのファイル名と同様にファイル名リストに表示することができる。
【００３３】
また、ファイル名修正部１４は、無文字の表示用ファイル名として、視聴制限用文字列を含むファイル名をファイル名リストから削除してもよい。この場合、ファイル名リストを参照しても、視聴制限されたコンテンツのファイル名が表示されない。このため、視聴制限されたコンテンツを再生対象外とするか、秘匿する場合に好適である。
ファイル名修正部１４に修正された表示用のファイル名データは、視聴制限処理部１０へ出力され、視聴制限処理部１０を介してファイル名リスト作成部１５へ出力される。
【００３４】
ファイル名リスト作成部１５は、メディアプレーヤ１で再生可能なコンテンツのうち、視聴制限用の文字列をファイル名に含むコンテンツ以外のファイル名についての表示用のファイル名を生成して保存し、さらにファイル名修正部１４に修正された表示用のファイル名を入力して保存する（ステップＳＴ６ｂ）。これら一連の処理は、メディアプレーヤ１で再生可能なコンテンツから、未処理のコンテンツがなくなるまで繰り返し実行される（ステップＳＴ７ｂ）。すなわち、未処理のコンテンツがあれば（ステップＳＴ７ｂ；ＹＥＳ）、ステップＳＴ１ｂの処理に戻る。
【００３５】
未処理のコンテンツがなくなった場合（ステップＳＴ７ｂ；ＮＯ）、ファイル名リスト作成部１５は、保存した表示用のファイル名をリストアップしたファイル名リストを生成して保存する（ステップＳＴ８ｂ）。
【００３６】
図６は、実施の形態１に係るコンテンツ再生装置におけるファイル名リストの表示処理を示すフローチャートである。
まず、ユーザからのリスト表示要求が操作部３に受け付けられると、入力信号処理部１２は、このリスト表示要求を視聴制限処理部１０に通知する。
視聴制限処理部１０は、この通知を受けると、ファイル名リスト作成部１５が保存するファイル名リストを読み出す（ステップＳＴ１ｃ）。
【００３７】
次に、視聴制限処理部１０は、ファイル名リストにあるファイル名ごとに、コンテンツに視聴制限フラグが設定されているか否かを確認する（ステップＳＴ２ｃ）。このとき、視聴制限フラグが設定されていない場合（ステップＳＴ２ｃ；ＮＯ）、そのコンテンツのファイル名は、そのまま表示が行われるように設定される。
【００３８】
一方、視聴制限フラグが設定されている場合（ステップＳＴ２ｃ；ＹＥＳ）、視聴制限処理部１０は、視聴制限フラグが設定されているコンテンツのファイル名の表示用データを、視聴制限用文字列を含まないファイル名とは異なる表示形態に変更するよう表示制御部１７に指示する。表示制御部１７は、視聴制限処理部１０の指示に従って、表示形態の変更処理を行う。
【００３９】
視聴制限フラグが設定されたコンテンツは、ファイル名修正部１４によってファイル名が修正されている。表示形態は、視聴制限対象のコンテンツであることをファイル名リストから視認可能であればよく、例えば、ハイライト処理のようにファイル名の強調表示することが挙げられる。ステップＳＴ３ｃでは、視聴制限フラグが設定されたコンテンツのファイル名をハイライト処理する。
【００４０】
視聴制限フラグがないか、もしくは、上述のようにファイル名リストにおける表示用のファイル名の処理が完了すると、視聴制限処理部１０は、表示制御部１７に指示する。
表示制御部１７は、視聴制限処理部１０からの指示に従って、ファイル名リストを表示部２に表示する（ステップＳＴ４ｃ）。このとき、視聴制限対象コンテンツのファイル名からは、例えば、ファイル名修正部１４によって視聴制限用文字列が除かれたファイル名が、ファイル名リスト上でハイライト表示される。
これにより、ファイル名リストを参照することで、視聴制限があるコンテンツを容易に把握することができる。
【００４１】
また、ファイル名修正部１４により無文字の表示用ファイル名に修正されている場合、表示制御部１７は、この表示用ファイル名をファイル名リストにおけるファイル名の表示対象から外す。このときコンテンツ再生制御部１１が、ファイル名リストで表示対象から外されたファイル名のコンテンツを再生対象から外してもよい。これにより、ファイル名リストにないコンテンツが再生対象外であることを容易に把握できる。
【００４２】
以上のように、この実施の形態１によれば、再生対象のコンテンツのファイル名を読み取るファイル名読み取り部１３と、ファイル名読み取り部１３により読み取られたファイル名に視聴制限用の文字列が含まれる場合に、コンテンツの視聴制限を行う視聴制限処理部１０とを備える。このように構成することで、メディアプレーヤ１と連動して視聴制限を行う機能を実現するためのプログラムが組み込まれていないコンテンツ（視聴制限機能を有さないコンテンツ）であっても、ユーザが所望する視聴制限を容易に設定することができる。
【００４３】
また、この実施の形態１によれば、視聴制限処理部１０は、ファイル名読み取り部１３により読み取られたファイル名に含まれる視聴制限用の文字列と、制限レベルごとに設定された視聴制限用の文字列とを比較し、ファイル名に含まれる視聴制限用の文字列に対応した制限レベルの内容でコンテンツの視聴制限を行う。このようにすることで、ファイル名に含まれる視聴制限用文字列に対応した内容でコンテンツの視聴制限を行うことが可能となる。
【００４４】
さらに、この実施の形態１によれば、コンテンツのファイル名を表示するためのファイル名リストを作成するファイル名リスト作成部１５と、視聴制限用の文字列を含むファイル名のファイル名リストにおけるファイル名を修正するファイル名修正部１４とを備える。このように構成することで、視聴制限されたコンテンツのファイル名を修正することが可能となる。
【００４５】
さらに、この実施の形態１によれば、ファイル名修正部１４は、ファイル名リストにおけるファイル名を視聴制限用の文字列を除いたファイル名に修正する。このようにすることで、視聴制限されたコンテンツのファイル名を、視聴制限のないコンテンツのファイル名と同様にファイル名リストに表示することができる。
【００４６】
さらに、この実施の形態１によれば、表示部２の表示を制御する表示制御部１７を備え、視聴制限処理部１０は、表示制御部１７に指示して、視聴制限用文字列を除いたファイル名を、ファイル名リストにおける視聴制限用の文字列を含まないファイル名とは異なる表示形態に変更する。これにより、ファイル名リストを参照することで、視聴制限があるコンテンツを容易に把握することができる。
【００４７】
さらに、この実施の形態１によれば、ファイル名修正部１４は、視聴制限用の文字列を含むファイル名をファイル名リストから削除する。このようにすることで、ユーザがファイル名リストを参照しても、視聴制限されたコンテンツのファイル名が表示されないため、その存在を把握できない。従って、視聴制限されたコンテンツを再生対象外とする、または、秘匿する場合に好適である。
【００４８】
さらに、この実施の形態１によれば、ファイル名修正部１４によりファイル名リストから削除されたファイル名のコンテンツを再生対象外とする。このようにすることで、ファイル名リストにないコンテンツが再生対象外であることを容易に把握できる。
【００４９】
なお、本発明はその発明の範囲内において、実施の形態の任意の構成要素の変形、もしくは実施の形態の任意の構成要素の省略が可能である。
【符号の説明】
【００５０】
１  メディアプレーヤ、２  表示部、３  操作部、１０  視聴制限処理部、１１  コンテンツ再生制御部、１２  入力信号処理部、１３  ファイル名読み取り部、１４  ファイル名修正部、１５  ファイル名リスト作成部、１６  メモリ、１７  表示制御部。
【図１】
2015207976.tif 000003
【図２】
2015207976.tif 000004
【図３】
2015207976.tif 000005
【図４】
2015207976.tif 000006
【図５】
2015207976.tif 000007
【図６】
2015207976.tif 000008